(57)【要約】  息苦しさを解消しつつ喉の乾燥を防ぐことができるマスクを提供する。マスク１は、装着者の口を覆う本体部１０を備えている。本体部１０には、切目部１２ａ，１２ｂが設けられている。本体部１０は、切目部１２ａ，１２ｂの上側に広がる部分１０ａと、切目部１２ａ，１２ｂの下側に広がる部分１０ｂとを有する。これらの部分１０ａ，１０ｂは、切目部１２ａ，１２ｂにおいて互いに重なっている。
2015125203.tif 000002
【特許請求の範囲】
【請求項１】
切目部を有し、装着者の口を覆う本体部を備え、
前記本体部は、前記切目部の一方の側に広がる第１の部分と、前記切目部の他方の側に広がる第２の部分と、を有し、
前記第１の部分と前記第２の部分とは、前記切目部において互いに重なっていることを特徴とするマスク。
【請求項２】
請求項１に記載のマスクにおいて、
前記切目部は、一直線状をしているマスク。
【請求項３】
請求項２に記載のマスクにおいて、
前記切目部は、前記本体部の左右方向に延在するマスク。
【請求項４】
請求項３に記載のマスクにおいて、
前記切目部の長さは、前記本体部の左右方向の長さの２分の１以上であるマスク。
【請求項５】
請求項４に記載のマスクにおいて、
前記切目部は、前記本体部の左右方向の略全体にわたって延在するマスク。
【請求項６】
請求項１乃至５の何れかに記載のマスクにおいて、
前記本体部は、前記切目部に沿って予め切目が入った状態にあるマスク。
【請求項７】
請求項１乃至５の何れかに記載のマスクにおいて、
前記切目部は、前記本体部を当該切目部に沿って切断するための切取線であるマスク。
【請求項８】
請求項７に記載のマスクにおいて、
前記切取線は、ミシン目であるマスク。
【請求項９】
請求項１乃至８の何れかに記載のマスクにおいて、
前記本体部の前記第１及び第２の部分は、互いに一部分のみが重なり合うように設けられた２枚のシートからなるマスク。
【請求項１０】
請求項１乃至８の何れかに記載のマスクにおいて、
前記本体部は、襞が形成された１枚のシートからなり、
前記襞部分に前記切目部が形成されているマスク。
【請求項１１】
請求項１乃至１０の何れかに記載のマスクにおいて、
前記本体部に固定され、前記装着者の顔から前記本体部を離間させた状態で当該本体部の形状を維持するための可塑性の線状部材を備えるマスク。
【請求項１２】
請求項１１に記載のマスクにおいて、
前記線状部材は、前記本体部の上端に沿って設けられた第１の線状部材と、前記本体部の下端に沿って設けられた第２の線状部材とを含むマスク。
【請求項１３】
請求項１乃至１２の何れかに記載のマスクにおいて、
前記本体部に着脱可能に設けられた保湿材を備えるマスク。
【請求項１４】
請求項１３に記載のマスクにおいて、
前記保湿材は、前記本体部に貼付可能であるマスク。
【請求項１５】
請求項１３又は１４に記載のマスクにおいて、
前記本体部は、前記保湿材を収納するポケットを有するマスク。
【請求項１６】
請求項１５に記載のマスクにおいて、
前記本体部は、複数の前記ポケットを有するマスク。
【請求項１７】
請求項１３乃至１６の何れかに記載のマスクにおいて、
前記保湿材は、芳香成分を含有するマスク。
【請求項１８】
請求項１７に記載のマスクにおいて、
前記芳香成分は、ハーブの香りを発するものであるマスク。
【請求項１９】
請求項１３乃至１８の何れかに記載のマスクにおいて、
前記保湿材は、抗菌成分を含有するマスク。
【請求項２０】
請求項１９に記載のマスクにおいて、
前記抗菌成分は、タンニンであるマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、鼻及び口を含む顔面の対象部を覆う本体部と、本体部の左右両側に設けられ、耳に係止するための係止部とを備えている。本体部は、顔面と対面するインナー部と、インナー部を被覆する外装部とを有している。インナー部は、顔面の起伏に対応するように、カップ状の立体形状をしている。
【先行技術文献】
【特許文献】
【０００３】
【特許文献１】特開２００７−２１０３２号公報
【発明の概要】
【発明が解決しようとする課題】
【０００４】
特許文献１に記載されたマスクによれば、本体部によって鼻及び口が覆われるため、喉が乾燥するのを防ぐことができる。しかしながら、その一方で、かかるマスクを装着した状態では、呼吸が妨げられるため、息苦しくなるという問題がある。【０００５】
本発明は、上記課題に鑑みてなされたものであり、息苦しさを解消しつつ喉の乾燥を防ぐことができるマスクを提供することを目的とする。
【課題を解決するための手段】
【０００６】
本発明によるマスクは、切目部を有し、装着者の口を覆う本体部を備え、上記本体部は、上記切目部の一方の側に広がる第１の部分と、上記切目部の他方の側に広がる第２の部分と、を有し、上記第１の部分と上記第２の部分とは、上記切目部において互いに重なっていることを特徴とする。【０００７】
このマスクにおいては、本体部によって装着者の口が覆われるため、喉が乾燥するのを防ぐことができる。また、本体部には切目部が設けられているところ、この切目部において、本体部を構成する第１及び第２の部分が互いに重なっている。このため、装着者は、切目部に沿って本体部に切目が入った状態で、切目部の両側を引っ張ることにより、本体部に開口部を形成することができる。開口部は、呼気及び吸気の経路となる。これにより、装着者は、呼吸をし易くなるため、息苦しさから免れることができる。
【発明の効果】
【０００８】
本発明によれば、息苦しさを解消しつつ喉の乾燥を防ぐことができるマスクが実現される。
【図面の簡単な説明】
【０００９】
【図１】本発明によるマスクの第１実施形態を示す正面図である。
【図２】図１のマスクにおいて開口部が形成された状態を示す正面図である。
【図３】本発明によるマスクの第２実施形態を示す正面図である。
【図４】図３のマスクのIV−IV線に沿った断面図である。
【図５】図３のマスクにおいて開口部が形成された状態を示す正面図である。
【図６】本発明によるマスクの第３実施形態を示す背面図である。
【図７】本発明によるマスクの第４実施形態を示す背面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるマスクの第１実施形態を示す正面図である。マスク１は、本体部１０を備えている。本体部１０は、シート状をしており、装着者の目、鼻及び口のうち、鼻及び口のみ、あるいは口のみを覆う。図１においては、本体部１０の外側の面、すなわち装着者の顔に対向する面（内側の面）とは反対側の面が示されている。本体部１０は、通気性を有する材料からなる。かかる材料としては、例えば、不織布又は紙を用いることができる。
【００１２】
本体部１０には、切目部１２ａ，１２ｂが設けられている。切目部１２ａ，１２ｂは、一直線状をしており、本体部１０の左右方向に延在している。切目部１２ａ，１２ｂの長さは、本体部１０の左右方向の長さの２分の１以上であることが好ましい。本実施形態において切目部１２ａ，１２ｂは、本体部１０の左右方向の略全体にわたって延在している。本体部１０は、切目部１２ａ，１２ｂに沿って予め切目が入った状態にある。
【００１３】
本体部１０は、切目部１２ａ，１２ｂの一方の側（図中の上側）に広がる部分１０ａ（第１の部分）と、切目部１２ａ，１２ｂの他方の側（図中の下側）に広がる部分１０ｂ（第２の部分）とを有する。これらの２つの部分１０ａ，１０ｂは、切目部１２ａ，１２ｂにおいて互いに重なっている。詳細には、本体部１０の部分１０ａ，１０ｂは、互いに一部分のみが重なり合うように設けられた２枚のシートからなる。部分１０ａを構成するシートと部分１０ｂを構成するシートとは、重なり合う領域において、左右両端部が互いに接着されている一方で、他の部分は接着されていない。これにより、部分１０ａを構成するシートの下端が切目部１２ａとなり、部分１０ｂを構成するシートの上端が切目部１２ｂとなる。これらの２枚のシートは、同一の材料からなることが好ましい。
【００１４】
図２に示すように、切目部１２ａ，１２ｂの両側を引っ張ることにより、本体部１０に開口部２２が形成される。具体的には、本体部１０の部分１０ａを上側に引っ張るとともに、部分１０ｂを下側に引っ張ることにより、開口部２２が形成される。このとき、装着者の口の少なくとも一部は、本体部１０における開口部２２以外の部分によって覆われる。このように、開口部２２が形成された状態においても、装着者の口全体が露出することのない構造となっている。開口部２２は、概ね、装着者の鼻と口の間の領域に重なる部分に形成される。
【００１５】
図１に戻って、本体部１０には、線状部材３２，３４が固定されている。これらの線状部材３２，３４は、可塑性を有し、装着者の顔から本体部１０を離間させた状態で本体部１０の形状を維持するためのものである。線状部材３２，３４の材料としては、例えば、金属又は樹脂を用いることができる。
【００１６】
線状部材３２（第１の線状部材）は、本体部１０の上端に沿って延在している。また、線状部材３４（第２の線状部材）は、本体部１０の下端に沿って延在している。線状部材３２は、例えば、本体部１０の上端付近を袋状に形成し、その中に収容すればよい。線状部材３４についても同様である。
【００１７】
さらに、本体部１０には、当該本体部１０を装着者の顔に固定するための固定部４０が取り付けられている。本実施形態において固定部４０は、装着者の耳に掛けられる紐状部材である。かかる固定部４０としては、例えば、ゴム紐を用いることができる。
【００１８】
マスク１の効果を説明する。マスク１においては、本体部１０によって装着者の口が覆われるため、喉が乾燥するのを防ぐことができる。また、本体部１０には切目部１２ａ，１２ｂが設けられているところ、この切目部１２ａ，１２ｂにおいて、本体部１０を構成する２つの部分１０ａ，１０ｂが互いに重なっている。このため、装着者は、切目部１２ａ，１２ｂの両側を引っ張ることにより、本体部１０に開口部２２を形成することができる。開口部２２は、呼気及び吸気の経路となる。これにより、装着者は、呼吸をし易くなるため、息苦しさから免れることができる。したがって、息苦しさを解消しつつ喉の乾燥を防ぐことができるマスク１が実現されている。
【００１９】
かかる構成により、マスク１は、開口部２２が形成されていない状態（図１に示す状態）と、開口部２２が形成されている状態（図２に示す状態）とで２通りの使い方が可能である。これにより、装着者にとっての利便性が飛躍的に高まる。
【００２０】
例えば、装着者は、起きている間は開口部２２が形成されていない状態でマスク１を使用し、寝ている間は開口部２２が形成されている状態でマスク１を使用することができる。すなわち、起きている間は息苦しくなっても適宜マスクを着脱することができるのに対し、寝ている間はそうすることができない。それゆえ、起きている間は、喉の乾燥防止を優先して開口部２２が形成されていない状態でマスク１を使用する一方で、寝ている間は、呼吸の容易性を優先して開口部２２が形成されている状態でマスク１を使用することができる。
【００２１】
また、装着者は、空気の乾燥の程度が比較的大きい室外では、喉の乾燥防止を優先して開口部２２が形成されていない状態でマスク１を使用する一方で、空気の乾燥の程度が比較的小さい室内では、呼吸の容易性を優先して開口部２２が形成されている状態でマスク１を使用するということもできる。
【００２２】
このように２通りの使い方が可能であるため、マスク１は、長時間にわたって使用するのに適しており、経済的である。
【００２３】
さらに、本体部１０の２つの部分１０ａ，１０ｂを元通りに重ね合わせることにより、開口部２２が形成される前の状態に戻すことができる。このため、装着者は、開口部２２が形成されていない状態での使用と、開口部２２が形成されている状態での使用とを交互に繰り返すことができる。
【００２４】
切目部１２ａ，１２ｂは一直線状をしており、本体部１０の左右方向に延在している。本体部１０は横長の形状をしているため、上下方向よりも左右方向に切目部１２ａ，１２ｂを延在させた方が、スペースを確保し易く、設計上の自由度が高まる。
【００２５】
切目部１２ａ，１２ｂは、本体部１０の左右方向の略全体にわたって延在している。このように長い切目部１２ａ，１２ｂが設けられているため、装着者は、比較的大きな開口部２２を形成することができ、それにより呼吸の容易性を高めることができる。また、切目部１２ａ，１２ｂの両側を引っ張る程度を変えることにより、開口部２２の大きさを適宜設定し、喉の乾燥防止と呼吸の容易性とのバランスを調整することもできる。かかる観点から、切目部１２ａ，１２ｂの長さは、本体部１０の左右方向の長さの２分の１以上であることが好ましい。
【００２６】
本体部１０は、切目部１２ａ，１２ｂに沿って予め切目が入った状態にある。これにより、切目部１２ａ，１２ｂの両側を引っ張るだけで開口部２２を形成することができるため、マスク１の取扱いが容易となる。
【００２７】
本体部１０は、開口部２２以外の部分が装着者の口の少なくとも一部を覆うように構成されている。このため、開口部２２が形成されている状態においても、装着者の口全体が露出することがなく、喉の乾燥防止効果が保たれる。
【００２８】
本体部１０の２つの部分１０ａ，１０ｂは、互いに一部分のみが重なり合うように設けられた２枚のシートからなる。このように２枚のシートを重ねるだけで、切目部１２ａ，１２ｂを形成することができるので、マスク１の製造が容易となる。
【００２９】
また、本体部１０には、線状部材３２，３４が設けられている。このため、装着者の顔から本体部１０を離間させた状態で本体部１０の形状を維持することができる。それにより、装着者の顔と本体部１０との間に適度な空間を形成し、吸気及び呼気の経路を確保することができる。特に本実施形態においては、本体部１０の上端に線状部材３２が設けられているだけでなく下端にも線状部材３４が設けられているため、本体部１０の形状設定の自由度が高く、吸気及び呼気の経路を確保し易い。
（第２実施形態）
【００３０】
図３は、本発明によるマスクの第２実施形態を示す正面図である。マスク２は、本体部１０を備えている。本体部１０には、切目部１４が形成されている。この切目部１４は、本体部１０を当該切目部１４に沿って切断するための切取線である。すなわち、本実施形態において本体部１０は、予め切目が入っていない状態にある。この切取線は、例えばミシン目であり、装着者が当該切取線に沿って本体部１０を容易に切断することができるように形成されている。切目部１４は、一直線状をしており、本体部１０の左右方向に延在している。切目部１４の長さは、本体部１０の左右方向の長さの２分の１以上である。
【００３１】
本体部１０は、切目部１４の一方の側（図中の上側）に広がる部分１０ａと、切目部１４の他方の側（図中の下側）に広がる部分１０ｂとを有する。これらの部分１０ａ，１０ｂは、切目部１４において互いに重なっている。
【００３２】
図４は、図３のIV−IV線に沿った断面図である。図４からわかるように、本体部１０は、襞１３が形成された１枚のシートからなる。襞１３を構成する２本の折返し線１３ａ，１３ｂのうち折返し線１３ａから上の部分が部分１０ａであり、折返し線１３ｂから下の部分が部分１０ｂである。上述の切目部１４は、この襞１３の部分に形成されている。具体的には、２本の折返し線１３ａ，１３ｂの間の領域（部分１０ａと部分１０ｂとを連結する領域）に、切目部１４が形成されている。ただし、切目部１４は、襞１３の部分であれば、任意の位置に形成してよい。例えば、切目部１４は、折返し線１３ａ又は折返し線１３ｂ上に形成してもよいし、部分１０ａ又は部分１０ｂ上に形成してもよい。
【００３３】
図５に示すように、切目部１４の両側を引っ張ることにより、本体部１０に開口部２４が形成される。具体的には、本体部１０の部分１０ａを上側に引っ張るとともに、部分１０ｂを下側に引っ張ることにより、開口部２４が形成される。このとき、装着者の口の少なくとも一部は、本体部１０における開口部２４以外の部分によって覆われる。このように、開口部２４が形成された状態においても、装着者の口全体が露出することのない構造となっている。開口部２４は、概ね、装着者の鼻と口の間の領域に重なる部分に形成される。マスク２のその他の構成は、マスク１と同様である。
【００３４】
マスク２の効果を説明する。マスク２においては、本体部１０によって装着者の口が覆われるため、喉が乾燥するのを防ぐことができる。また、本体部１０には切目部１４が設けられているところ、この切目部１４において、本体部１０を構成する２つの部分１０ａ，１０ｂが互いに重なっている。このため、装着者は、切目部１４に沿って本体部１０に切目を入れた状態で、切目部１４の両側を引っ張ることにより、本体部１０に開口部２４を形成することができる。開口部２４は、呼気及び吸気の経路となる。これにより、装着者は、呼吸をし易くなるため、息苦しさから免れることができる。したがって、息苦しさを解消しつつ喉の乾燥を防ぐことができるマスク２が実現されている。
【００３５】
切目部１４は、本体部１０を当該切目部１４に沿って切断するための切取線である。このように本体部１０には予め切目が入っていないため、開口部２４が形成される前の状態における喉の乾燥防止効果を高めることができる。
【００３６】
本体部１０は襞１３が形成された１枚のシートからなり、襞１３の部分に切目部１４が形成されている。これにより、２つの部分１０ａ，１０ｂが切目部１４において重なり合った構造の本体部１０を１枚のシートから形成することができるため、マスク１の製造が容易となる。マスク２のその他の効果は、マスク１について説明したとおりである。
（第３実施形態）
【００３７】
図６は、本発明によるマスクの第３実施形態を示す背面図である。マスク３は、本体部１０に加えて、保湿機能を有する保湿材５２を備えている。本実施形態においては、２つの保湿材５２が設けられている。保湿材５２は、本体部１０に着脱可能に設けられている。保湿材５２は、本体部１０よりも小さいシート状をしており、本体部１０に貼付可能である。具体的には、保湿材５２は、その片面に粘着剤が塗布されており、本体部１０に貼付することも、本体部１０から剥離することも可能である。
【００３８】
この保湿材５２は、本体部１０の任意の位置に貼付することができる。保湿材５２は、本体部１０の外側の面に貼付してもよいし、内側の面に貼付してもよい。図６は、本体部１０の左右を分断する中心線Ｌ２上に２つの保湿材５２が貼付された例を示している。同図においては、本体部１０の内側の面が示されており、当該面に保湿材５２が貼付されている。
【００３９】
保湿材５２としては、例えば、保湿成分を含有する液体を含浸させた不織布を用いることができる。保湿成分としては、例えば、コラーゲン、ヒアルロン酸、グリセリン類が挙げられる。
【００４０】
保湿材５２には、保湿成分と共に、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。マスク３のその他の構成は、マスク１と同様である。
【００４１】
マスク３の効果を説明する。マスク３においては、保湿材５２が設けられている。このため、喉の乾燥をより効果的に防ぐことができる。しかも、この保湿材５２は、着脱可能に設けられている。これにより、マスク３は、保湿材５２が取り付けられた状態でも、取り外された状態でも使用することができるため、装着者にとっての利便性が高まる。例えば、装着者は、本体部１０に開口部２２（図２参照）が形成されていない状態では保湿材５２を取り外してマスク３を使用する一方で、開口部２２が形成されている状態では保湿材５２を取り付けてマスク３を使用することができる。
【００４２】
さらに、保湿材５２は、本体部１０に貼付可能であるため、本体部１０への着脱が容易である。また、保湿材５２を本体部１０の任意の位置に貼付することができるため、装着者は、本体部１０に取り付けられた保湿材５２の位置を変えることにより、保湿の程度を調整することができる。
【００４３】
保湿材５２は、複数設けられている。このため、装着者は、本体部１０に取り付けられた保湿材５２の個数を変えることにより、保湿の程度を調整することができる。ただし、保湿材５２は、１つだけ設けられてもよい。
【００４４】
保湿材５２が芳香成分を含有する場合、当該成分が呼吸時に鼻孔に吸い込まれることにより、装着者は、より快適にマスク３を使用することができる。保湿材５２が抗菌成分を含有する場合、吸気中や呼気中の雑菌が繁殖するのを抑制することができるため、装着者は、より衛生的にマスク３を使用することができる。マスク３のその他の効果は、マスク１について説明したとおりである。
【００４５】
なお、本実施形態においては、図１及び図２に示したマスク１に保湿材５２が設けられた例を示したが、図３〜図５に示したマスク２に保湿材５２を設けてもよいことは、言うまでもない。
（第４実施形態）
【００４６】
図７は、本発明によるマスクの第４実施形態を示す背面図である。マスク４は、本体部１０に加えて、保湿機能を有する保湿材５４を備えている。本実施形態においては、２つの保湿材５４が設けられている。保湿材５４は、本体部１０に着脱可能に設けられている。具体的には、本実施形態の本体部１０はポケット１６を有しており、このポケット１６内に保湿材５４が出入自由に収納されている。保湿材５４は、本体部１０よりも小さいシート状をしている。保湿材５４としては、保湿材５２と同様、保湿成分を含有する液体を含浸させた不織布を用いることができる。保湿材５４に芳香成分及び／又は抗菌成分が含有されていてもよいことは、保湿材５２と同様である。
【００４７】
ポケット１６は、本体部１０の任意の位置に設けることができる。ポケット１６は、本体部１０の外側の面に設けてもよいし、内側の面に設けてもよい。図７は、本体部１０の左右を分断する中心線Ｌ２上に２つのポケット１６が設けられた例を示している。同図においては、本体部１０の内側の面が示されており、当該面にポケット１６が設けられている。
【００４８】
ポケット１６の材料としては、例えば不織布を用いることができる。ポケット１６は、左右両端及び下端が本体部１０に接着される一方で、上端は本体部１０に接着されていない。したがって、ポケット１６は、その上端から保湿材５４を出し入れすることが可能な構造をしている。マスク４のその他の構成は、マスク１と同様である。
【００４９】
マスク４の効果を説明する。マスク４においては、保湿材５４が設けられている。このため、喉の乾燥をより効果的に防ぐことができる。しかも、この保湿材５４は、着脱可能に設けられている。これにより、マスク４は、保湿材５４が取り付けられた状態でも、取り外された状態でも使用することができるため、装着者にとっての利便性が高まる。例えば、装着者は、本体部１０に開口部２２（図２参照）が形成されていない状態では保湿材５４を取り外してマスク４を使用する一方で、開口部２２が形成されている状態では保湿材５４を取り付けてマスク４を使用することができる。
【００５０】
本体部１０は、保湿材５４を収納するポケット１６を有している。このため、保湿材５４の着脱を容易に行うことができる。さらに、本実施形態においては、複数のポケット１６が設けられている。このため、装着者は、本体部１０に取り付けられた保湿材５４の個数や位置を変えることにより、保湿の程度を調整することができる。ただし、ポケット１６は、１つだけ設けられてもよい。マスク４のその他の効果は、マスク１及びマスク３について説明したとおりである。
【００５１】
なお、本実施形態においては、図１及び図２に示したマスク１にポケット１６及び保湿材５４が設けられた例を示したが、図３〜図５に示したマスク２にポケット１６及び保湿材５４を設けてもよいことは、言うまでもない。
【００５２】
本発明によるマスクは、上記実施形態に限定されるものではなく、様々な変形が可能である。例えば、上記実施形態においては、切目部が本体部１０の左右方向に延在する例を示した。しかし、切目部の延在方向は、任意であり、例えば本体部１０の上下方向であってもよい。
【００５３】
上記実施形態においては、２つの線状部材３２，３４が設けられた例を示した。しかし、２つの線状部材３２，３４のうち何れか一方のみが設けられた構成としてもよい。また、線状部材３２，３４の何れも設けない構成としてもよい。
【符号の説明】
【００５４】
１  マスク
２  マスク
３  マスク
４  マスク
１０  本体部
１０ａ  本体部の一部（第１の部分）
１０ｂ  本体部の一部（第２の部分）
１２ａ，１２ｂ  切目部
１３  襞
１３ａ，１３ｂ  折返し線
１４  切目部
１６  ポケット
２２  開口部
２４  開口部
３２  線状部材（第１の線状部材）
３４  線状部材（第２の線状部材）
４０  固定部
５２  保湿材
５４  保湿材
【図１】
2015125203.tif 000003
【図２】
2015125203.tif 000004
【図３】
2015125203.tif 000005
【図４】
2015125203.tif 000006
【図５】
2015125203.tif 000007
【図６】
2015125203.tif 000008
【図７】
2015125203.tif 000009
【国際調査報告】
2015125203.tif 000010
2015125203.tif 000011
2015125203.tif 000012
2015125203.tif 000013